(57)【要約】【課題】使用性、取扱性等に優れ、破損等を防止して高い安全性を確保するバックルを提供する。【解決手段】ベース１１とベース１１に回動可能に支持されたレバー１２とからなり、歯部１３の間にベルトを挿着する。ベース１１におけるレバー回動支点付近に突起１５を立設するとともに、レバー１２は突起１５と当接可能な係合部１７を有する。突起１５および係合部１７の係合によりレバー１２の開閉角度が規制される。レバー１２の回動途中でその係合部１７が突起１５を乗り越し得るように構成されている。突起１５および係合部１７の係合により規制されるレバー１２の開閉角度は、鋭角に設定される。【選択図】        図４
2004147801.tif 000002
【特許請求の範囲】
【請求項１】
ベースとこのベースに回動可能に支持されたレバーとからなり、歯部の間にベルトを挿着し得るようにしたバックルであって、
前記ベースにおけるレバー回動支点付近に突起を立設するとともに、前記レバーは前記突起と当接可能な係合部を有し、
前記突起および前記係合部の係合により前記レバーの開閉角度が規制されるようにしたことを特徴とするバックル。
【請求項２】
前記突起は可撓性を有し、前記レバーの回動途中でその係合部が前記突起を乗り越し得るように構成されていることを特徴とする、請求項１に記載のバックル。
【請求項３】
前記突起および前記係合部の係合により規制される前記レバーの開閉角度は、鋭角に設定されることを特徴とする、請求項１または２に記載のバックル。
【請求項４】
前記歯部の両端部付近に一対の前記突起が配設されることを特徴とする、請求項１〜３のいずれかに記載のバックル。
【発明の詳細な説明】
【０００１】
【発明の属する技術分野】
本発明は、ベビーシート等に装備されて、ベルトを張架する際に供されるバックルに関する。
【０００２】
【従来の技術】
ベビー用品等をはじめとする種々の製品類において、適用対象物等を固定するための締結手段であるベルトを張架する際にバックルが用いられる。
従来のベルトを挟み込むタイプのバックルは、レバーの開閉角度が１８０°程度のものであった。
また、そのレバーが９０°付近で自立し、それ以上開くことができないタイプのものも創作されている。
【０００３】
【発明が解決しようとする課題】
ベビー用品において、たとえばベビーシート等にあっては折り畳まれる構造のものが知られている。このようなベビーシート等に対して前述のベルトを挟み込むタイプのバックルで、さらに９０°付近で自立するタイプのものを使用した場合、そのレバーが９０°付近にあるときにベビーシートを折り畳もうとすると、レバーが壁などに当たってしまい、ベビーシートを折り畳むことができなくなることがある。
また、強引にベビーシートを折り畳もうとすると、バックルがそれ以上開くことができないため破損する場合がある。
【０００４】
本発明はこのような実情に鑑み、使用性、取扱性等に優れ、破損等を防止して高い安全性を確保するバックルを提供することを目的としている。
【０００５】
【課題を解決するための手段】
上記目的を達成するために、本発明のバックルは、ベースとこのベースに回動可能に支持されたレバーとからなり、歯部の間にベルトを挿着し得るようにしたバックルであって、前記ベースにおけるレバー回動支点付近に突起を立設するとともに、前記レバーに前記突起と当接可能な係合部を設け、前記突起および前記係合部の係合により前記レバーの開閉角度が規制されるようにしたことを特徴とする。
【０００６】
本発明のバックルにおいて、好ましくは、前記レバーの回動途中でその係合部が前記突起を乗り越し得るように構成されている。
【０００７】
本発明のバックルにおいて、前記突起および前記係合部の係合により規制される前記レバーの開閉角度は、鋭角に設定されることが好ましい。
【０００８】
本発明のバックルにおいて、好ましくは、前記歯部の両端部付近に一対の前記突起が配設される。
【０００９】
このように、本発明によれば、突起および係合部の係合によりレバーの開閉角度が規制される。
また、規制されるレバーの開閉角度は鋭角に設定され、通常使用時にはこの角度範囲内で開閉する。この場合、相手側の部材等に当たると、レバーは閉じてしまい、破損等の心配がない。
また、突起は可撓性を有し、係合部が当接すると弾性変形する。したがって、レバーの回動途中でその係合部が突起を乗り越すことができ、レバーは規制角度以上に開くことができる。
【００１０】
【発明の実施の形態】
以下、図面に基き、本発明の好適な実施の形態を説明する。
図１は本発明によるバックルの全体構成例を示している。図において、バックル１０は、ベース１１とこのベース１１に回動可能に支持されたレバー１２とからなり、歯部１３の間にベルト（図示せず）を挿着し得るようになっている。
【００１１】
図２はベース１１を示している。ベース１１は、平坦な基体の左右両側がガイド壁１８として立ち上がった概略凹状を呈し（図２（ｂ））、基体にはベルトを挟み込むための歯部１３Ａが設けられいる。この例では、歯部１３Ａは基体の前後に平行２列に設けられている。ガイド壁１８にはレバー１２の回動支点を構成する孔１４が形成され、この孔１４にレバー１２の軸部が嵌合するようになっている。
【００１２】
ベース１１において、孔１４の近傍に、基体に突起１５が立設されている。ベース１１および突起１５は合成樹脂により一体に形成されている。この例では、歯部１３Ａの左右両端部付近に一対の突起１５が配設される。突起１５の上部には尖端部１５ａが設けられ、また、突起１５は可撓性を有するため撓み変形可能である。
【００１３】
図３はレバー１２を示している。このレバー１２は、ベース１１の両ガイド壁１８，１８間に収容されるように形成され、一端側にベルトを挟み込むための歯部１３Ｂが設けられている。歯部１３Ｂの近傍には、ベース１１の孔１４に嵌合するように軸部１６が突設されている。レバー１２は突起１５と当接可能な係合部１７を有しているが、この例では、歯部１３Ｂの両端部に延設されるかたちで一対の係合部１７が配設されている。
【００１４】
ここで、本発明ではベース１１の突起１５およびレバー１２の係合部１７の係合により、レバー１２の開閉角度が規制されるようになっている。すなわち、図４に示されるように、ベース１１に閉合するレバー１２を回動支点のまわりに回動すると、図４（ｂ）のように係合部１７が突起１５の尖端部１５ａに係合し、これによりレバー１２の開閉角度を規制することができる。このように規制されるレバー１２の開閉角度は、鋭角に設定され、この実施形態では、レバー１２の開閉角度は具体的にはたとえば、α＝６０°程度である。
【００１５】
レバー１２の開閉角度は上述のように突起１５によって規制されるが、一方、図５のようにレバー１２はその回動途中で、係合部１７が突起１５を乗り越し得るように構成されている。その場合、図５（ｂ）のように係合部１７が突起１５に当接すると、突起１５は適度に撓み変形し、これにより係合部１７は突起１５を乗り越すことができる。このように係合部１７が乗り越すことで、図６のようにレバー１２はかなりの角度（具体的にはα＝１４０〜１５０°程度）まで開くことができる。
【００１６】
図７および図８はバックル１０の使用状態を示しており、まず図７のようにレバー１２を回動支点のまわりに回動して適度に開き、このときに形成される歯部１３の隙間にベルト１を挿通させる。つぎに、図８のようにレバー１２を閉めることで、ベルト１は歯部１３Ａ，１３Ｂによって挟み込まれて固定される。
【００１７】
上記のように突起１５および係合部１７の係合によりレバー１２は規制された角度範囲内で開閉し、たとえば折畳み式構造のベビーシート等に用いられる場合においてレバー１２が最大に開いた場合であっても、折り畳んだ際の相手部材に当たって閉じてしまう。したがって、その相手部材の邪魔にならず、使い易く取扱性に優れている。
【００１８】
また、仮に規制された開閉角度以上開こうとした場合、レバー１２はその回動途中で突起１５を乗り越すことができ、このように不用意に操作力が加わった場合でも破損等を有効に防止することができる。
【００１９】
ここで、上記バックル１０をベビー用品に適用した一例を説明する。
例えば、バックル１０は、図９（ａ）に示すおむつ替え台２０に取り付けて使用することができる。このおむつ替え台２０には、その周縁に立設した壁２１に切欠部２２が形成されている。この切欠部２２の底部２２ａからおむつ替え台２０の内方に向かって、図１０に示すように、略先細形状の載置台２３が形成されている。さらに、この載置台２３の縁には、突片２３ａが上方に向けて延出している。
【００２０】
次に、おむつ替え台２０にバックル１０を取り付ける手順を説明すると、図９（ｂ）に示すように、バックル１０をおむつ替え台２０の側方から切欠部２２内に差し込み、図９（ｃ）に示すように、バックル１０を載置台２３上に置くと共に、切欠部２２と嵌合させる。なお、このとき、バックル１０が突片２３ａに当たるまで差し込むのが望ましい。この状態で、さらに固定ネジ（図示省略）等で固定することにより、バックル１０はおむつ替え台２０に取り付けられる。
【００２１】
このようにおむつ替え台２０に取り付けられたバックル１０は、おむつ替え台２０に寝かせた乳幼児が動かないようにベルト（図示省略）で固定する際に、そのベルトを挟み込んで使用する。この場合、ベルトの一端はおむつ替え台２０に取り付けられており、ベルトの他端がバックル１０内を挿通され、さらにベルトの適所にてバックル１０に噛まれて、乳幼児をベルトにより固定するようになっている。
【００２２】
このようにバックル１０がおむつ替え台２０に取り付けられて使用されているときに、例えば、ベルトの張力により、バックル１０におむつ替え台２０の内方の力が作用する場合がある。このような力により、バックル１０がおむつ替え台２０の内方にスライドしようとしても、バックル１０が突片２３ａに衝接し、また固定ねじにより載置台２３に連結されていることから、バックル１０がおむつ替え台２０から容易に外れるのが有効に防止できる。
【００２３】
以上本発明を実施の形態について説明したが、本発明は上記実施形態にのみ限定されるものでなく、本発明の範囲内で種々の変更等が可能であり、上記実施形態と同様な作用効果を得ることができる。
【００２４】
たとえば、上記実施形態で説明したレバー１２の開閉角度の具体的数値は、必要に応じて適宜変更可能である。
また、突起１５および係合部１７はベース１１とレバー１２の間で上記とは逆の関係で、すなわちレバー１２に突起１５を、ベース１１に係合部１７を設けることも可能である。
【００２５】
【発明の効果】
以上説明したように本発明によれば、この種のバックルにおいて、これを使用する際、相手部材の邪魔にならず、使い易く取扱性に優れていることに加え、不用意に操作力が加わった場合でも破損等を有効に防止することができる。
したがって、使用性、取扱性等に優れ、破損等を防止して高い安全性を確保する等の利点を有している。
【図面の簡単な説明】
【図１】（ａ）〜（ｃ）はそれぞれ本発明の実施形態における全体構成例を示す図である。
【図２】（ａ）〜（ｃ）はそれぞれ本発明の実施形態におけるベースの構成例を示す図である。
【図３】（ａ）〜（ｃ）はそれぞれ本発明の実施形態におけるレバーの構成例を示す図である。
【図４】（ａ）及び（ｂ）はそれぞれ本発明の実施形態における使用状態を示す図である。
【図５】（ａ）及び（ｂ）はそれぞれ本発明の実施形態におけるレバーの乗越し時の様子を示す図である。
【図６】本発明の実施形態におけるレバーの乗越し後の状態を示す図である。
【図７】（ａ）及び（ｂ）はそれぞれ本発明の実施形態におけるバックルの使用状態を示す図である。
【図８】（ａ）及び（ｂ）はそれぞれ本発明の実施形態におけるバックルの使用状態を示す図である。
【図９】本発明の実施形態におけるバックルをベビー用品に適用した一例を説明するための、（ａ）おむつ替え台の斜視図、（ｂ）取付箇所を示す斜視図、（ｃ）取付状態を示す斜視図である。
【図１０】図９のおむつ替え台の載置台を示す平面図である。
【符号の説明】
１０    バックル
１１    ベース
１２    レバー
１３    歯部
１４    孔
１５    突起
１６    軸部
１７    係合部
１８    ガイド壁
２０    おむつ替え台
２１    壁
２２    切欠溝
２３    載置台
【図１】
2004147801.tif 000003
【図２】
2004147801.tif 000004
【図３】
2004147801.tif 000005
【図４】
2004147801.tif 000006
【図５】
2004147801.tif 000007
【図６】
2004147801.tif 000008
【図７】
2004147801.tif 000009
【図８】
2004147801.tif 000010
【図９】
2004147801.tif 000011
【図１０】
2004147801.tif 000012